(57)【要約】　　　（修正有）【課題】加熱する機能を向上させると共に、防水の機能性を向上させることができるヘアーカーラの加熱及び防水構造を提供する。【解決手段】ヒータ１及びカーラ２とで構成されるヘアーカーラの加熱及び防水構造であって、ヒータは、導熱可能な棒状物であり、本体１１、抵抗線１２、外覆層１３及び端部１４から構成され、本体の外周表面には複数の螺旋溝が設けられ、抵抗線は、本体の外周に巻き付く金属の線であり、両端を電源線の正、負極に連結され、外覆層は、本体の外周を覆う導熱層であり、抵抗線の両端を隔離して電源線を固定し、カーラは一体成型された導熱可能な中空の筒体であり、内部にはヒータの容納に共される孔１１６が設けられ、カーラの両端にはそれぞれ直径のやや大きい錘形端２２が形成され、該錘形端の側縁には等間隔に複数個の束筋板２２１が設けられている。【選択図】　　　図１
0003097574.tif 000002
【実用新案登録請求の範囲】
【請求項１】
ヒータ及びカーラとで構成されるヘアーカーラの加熱及び防水構造であって、
前記ヒータは、導熱可能な棒状物であり、本体、抵抗線、外覆層及び端部から構成され、前記本体の外周表面には複数の螺旋溝が設けられ、前記本体の一端に直径がやや大きい突環段が成型され、該突環段には容室が形成され、前記容室の両側壁の相対個所には四角孔が設けられ、前記本体内部の下側には軸方向に全体を貫き通る通路が設けられ、該通路の末端には欠け口が形成され、前記通路に相対する開始端の上側には前記容室内に貫き通る孔が設けられ、
前記抵抗線は、前記本体の外周に巻き付く金属の線であり、前記抵抗線の一端は前記通路の開始端から入って前記突環段の前記容室内に残され、前記抵抗線の他端は前記欠け口から前記本体の螺旋溝を沿って順番に一巻きづつ前記突環段の方向へ巻き付けられ、最後は孔から前記容室内に入り、前記抵抗線の両端はすべて前記容室内に置かれ、更に、前記両端子によって前記両端を電源線の正、負極に連結され、
前記外覆層は、前記本体の外周を覆う導熱層であり、前記本体の外周に前記抵抗線を巻き付けた後、前記本体を型の中に入れて二次成型し、前記本体と一体に融合して完全に隙間のない状態が達成され、前記端部は前記外覆層と同じく、二次成型されて前記突環段の端面外周を覆い被せ、前記容室内部を詰めて塞ぐことによって前記抵抗線の両端を隔離して前記電源線を固定し、
前記カーラは、一体成型された導熱可能な中空の筒体であり、内部には前記ヒータの容納に共される孔が設けられ、前記カーラの両端にはそれぞれ直径のやや大きい錘形端が形成され、該錘形端の側縁には等間隔に複数個の束筋板が設けられていることを特徴とするヘアーカーラの加熱及び防水構造。
【請求項２】
前記端部の端部内段は、前記本体の前記容室内に一体形成され、それによって抵抗線及び該抵抗線の端子を固定し、前記端部の端部外段は、前記端部内段と分離した状態に成型され、前記内部は前記電源線の正、負極線を覆い包み、正、負極線の末端は、個別に端子が連結され、組み付けるときには前記端部外段の端面に一層の防水にかわを塗り付け、前記端部外段を前記本体の前記突環段内に取り付け、前記抵抗線と前記電源線の端子を互いに接続することを特徴とする請求項１記載のヘアーカーラの加熱及び防水構造。
【考案の詳細な説明】
【０００１】
【考案の属する技術分野】
本考案は、ヘアーカーラの加熱及び防水構造に係るものであり、特に、ヘアーカーラの加熱及び防水機能を高めるためのヘアーカーラの加熱及び防水構造に関するものである。
【０００２】
【従来の技術】
従来、髪にカールを付けるために、髪に巻き付けて使用するヘアーカーラが存在する。ヘアーカーラには、巻き付けた髪を固定する部材を有するものや、ヘアーカーラを加熱して髪にカールのくせ付けを行うもの、防水機能を有するものなどがある。このようなヘアーカーラの加熱及び防水構造の機能性を向上させるための研究、開発、改良が行われている。
【０００３】
【考案が解決しようとする課題】
上記のように、加熱機能を有するヘアーカーラを使用する場合、ヘアーカーラを髪にくせ付けができる温度に加熱するまで時間がかかったり、また、ヘアーカーラがむらなく加熱されていないと髪にくせ付けができなかった。また、加熱機能を有するヘアーカーラである場合、ヘアーカーラを加熱するための電源を供給する部位に水が浸透してしまうと、利用者が感電するなどの危険性があると共に、故障する恐れがある。このように、ヘアーカーラの加熱及び防水構造において問題点があった。
【０００４】
本考案は、ヘアーカーラを加熱する機能を向上させると共に、防水の機能性を向上させることができるヘアーカーラの加熱及び防水構造を提供することを目的とする。
【０００５】
【課題を解決するための手段】
前記の目的を図るために、本考案は、ヒータ及びカーラとで構成されるヘアーカーラの加熱及び防水構造であって、前記ヒータは、導熱可能な棒状物であり、本体、抵抗線、外覆層及び端部から構成され、前記本体の外周表面には複数の螺旋溝が設けられ、前記本体の一端に直径がやや大きい突環段が成型され、該突環段には容室が形成され、前記容室の両側壁の相対個所には四角孔が設けられ、前記本体内部の下側には軸方向に全体を貫き通る通路が設けられ、該通路の末端には欠け口が形成され、前記通路に相対する開始端の上側には前記容室内に貫き通る孔が設けられ、前記抵抗線は、前記本体の外周に巻き付く金属の線であり、前記抵抗線の一端は前記通路の開始端から入って前記突環段の前記容室内に残され、前記抵抗線の他端は前記欠け口から前記本体の螺旋溝を沿って順番に一巻きづつ前記突環段の方向へ巻き付けられ、最後は孔から前記容室内に入り、前記抵抗線の両端はすべて前記容室内に置かれ、更に、前記両端子によって前記両端を電源線の正、負極に連結され、前記外覆層は、前記本体の外周を覆う導熱層であり、前記本体の外周に前記抵抗線を巻き付けた後、前記本体を型の中に入れて二次成型し、前記本体と一体に融合して完全に隙間のない状態が達成され、前記端部は前記外覆層と同じく、二次成型されて前記突環段の端面外周を覆い被せ、前記容室内部を詰めて塞ぐことによって前記抵抗線の両端を隔離して前記電源線を固定し、前記カーラは、一体成型された導熱可能な中空の筒体であり、内部には前記ヒータの容納に共される孔が設けられ、前記カーラの両端にはそれぞれ直径のやや大きい錘形端が形成され、該錘形端の側縁には等間隔に複数個の束筋板が設けられていることにより、ヒーターの外周に巻き囲む抵抗線は加熱面積を大幅に増やすことができ、ヘアーカーラを加熱する機能を向上させると共に、防水の機能性を向上させることができる。
【０００６】
また、前記の目的を図るために、本考案は、前記端部の端部内段が、前記本体の前記容室内に一体形成され、それによって抵抗線及び該抵抗線の端子を固定し、前記端部の端部外段は、前記端部内段と分離した状態に成型され、前記内部は前記電源線の正、負極線を覆い包み、正、負極線の末端は、個別に端子が連結され、組み付けるときには前記端部外段の端面に一層の防水にかわを塗り付け、前記端部外段を前記本体の前記突環段内に取り付け、前記抵抗線と前記電源線の端子を互いに接続することにより、ヘアーカーラの防水の機能性を向上させることができる。
【０００７】
以下に添付図面を参照して本考案のある好適な実施の形態を詳細に説明するが、それらの構成は本考案の構造の絶対的な制限にならない。
【０００８】
【考案の実施の形態】
図１は、本考案のヘアーカーラを示す分解図である。図２は、本考案のヘアーカーラの部材の組み合わせ断面図である。本考案のヘアーカーラの加熱及び防水構造は、主に、ヒータ１と、カーラ２とで構成される。ヒータ１は、導熱可能な棒状物であり、主要部は本体１１、抵抗線１２、外覆層１３及び端部１４から構成される。本体１１の外周表面には、多くの螺旋溝１１１が予め設けられている（図１Ａに示す如く）。並びにその一端に直径がやや大きい突環段１１２が成型されている。突環段１１２には、容室１１３が形成され、容室１１３の両側壁の相対個所にはそれぞれ四角孔１１３１が予め設けられている。その本体１１内部の下側には、軸方向に全体を貫き通る通路１１４が設けられている。この通路１１４の末端には、欠け口１１５が形成され、並びに通路１１４に相対する開始端の上側には容室１１３内に貫き通る孔１１６が設けられている。
【０００９】
抵抗線１２は、本体１１の外周に巻き付く金属の線であり、それの一端は通路１１４の開始端から入って突環段１１２の容室１１３内に残され、その抵抗線１２の他端は通路１１４の欠け口１１５から本体の螺旋溝を沿って順番に一巻きづつ突環段１１２の方向へ巻き付けられ、最後は孔から突環段１１２の容室１１３内に入る。このように、その抵抗線１２の両端はすべて突環段１１２の容室１１３内に置かれ、更に、両端子１２１によってその両端を電源線Ｗの正、負極に連結される。
【００１０】
外覆層１３は、本体１１の外周を覆う導熱層であり、それは本体１１の外周に抵抗線１２を巻き付けた後、更に、本体１１を型の中に入れて二次成型し、本体１１と一体に融合して完全に隙間のない状態が達成される（図１Ｂ、図２Ｄに示す如く）。端部１４は外覆層１３と同じく、二次成型されて突環段１１２の端面外周を覆い被せ、及びそれの容室１１３内部を詰めて塞ぐ。これによって抵抗線１２の両端を隔離し、及び電源線Ｗを固定する。
【００１１】
カーラ２は、一体成型された導熱可能な中空の筒体であり、それの内部にはヒータ１の容納に共される孔２１が設けられている（図２Ｃに示す如く）。かつそのカーラ２の両端にはそれぞれ直径のやや大きい錘形端２２が形成され、この錘形端２２の側縁には等間隔に複数個の束筋板２２１が設けられている。
【００１２】
本考案のヘアーカーラを製造する場合、先ず、抵抗線１２の一端を通路１１４の開始端から取り入れ、並びにそれの一部を突環段１１２の容室１１３内に残し、その抵抗線１２の他端は通路１１４の欠け口１１５から貫くように突出され、本体１１の螺旋溝１１１に沿って突環段１１２の容室１１３内に進入される。更に、両端子によって容室１１３内に残された抵抗線１２の両端を電源線Ｗ、正、負極と連結する。
【００１３】
次に、本体１１を型の中に入れて二次射出成型を行い、それによって本体１１と一体に触合された外覆層１３及び端部１４が形成される。この場合、外覆層１３及び端部１４の一部材料は、それぞれ本体１１の突環段１１２の四角孔１１３１内に詰め塞がれる。これにより、緊密な噛み合わせ固定が達成され、完全に密着した隙間のない状態が形成される。従って、抵抗線１２を確実に隔離し、水気に濡れることなく、電源線Ｗを有効に固定して防水効果を得ることができる。
【００１４】
図３は、本考案のヘアーカーラでパーマをした時、髪束を巻き付けた状態を示す図である。図３に示すように、本考案のヘアーカーラでパーマを実施する場合、先ず、ヘアーカーラで髪束を巻き付け、かつ輪ゴム３でカーラ２両端の束筋板２２１を引き付けて、髪束とカーラを定位置に固定する。更に、ヒータ１をカーラ２の孔２１内に入れ、ヒータ１に電気を通して発生した熱は、カーラ２を通じて髪束に伝達され、髪束のカールのくせ付けを確実に行うことができる。
【００１５】
本考案のヘアーカーラを使用した場合、次のような手順でパーマが実行される。（１）髪束をカーラに巻き付ける。（２）第一軟化剤を付ける。（３）水洗い。（４）加熱成形。（５）第一薬剤を付ける。この場合、髪束のカールは、「（１）第一軟化剤を付ける」の手順時に、既に完了し、かつ「（３）水洗い」の手順時には、カーラが漏電し、利用者に感電する恐れがなくなる。また、「（４）加熱成形」時は低温をもって髪束に加熱すれば、確実に髪束のカールを付けることができる。
【００１６】
図４は、本考案のヘアーカーラの直径の異なる部材の組み合わせ断面図である。図４（Ｅ）に示すように、本考案のヘアーカーラの直径を適当に大きくすることができ、ヘアーカーラの直径を大きくすれば、中、長程度の髪の長さのカールパーマに適応可能となる。また、図４（Ｆ）に示すように、ヘアーカーラの直径を小さくすれば、短い髪のカールパーマに適応可能となる。
【００１７】
図５は、本考案の他の実施例のヘアーカーラの部材の組み合わせ断面図である。図５に示すように、本考案のヘアーカーラのヒータ１の構造の中、端部１４は端部内段１４１及び端部外段１４２のある二段式に成型することができる。その端部内段１４１は、本体１１の容室１１３内に一体形成され、それによって抵抗線１２及びそれの端子１２１を固定する。このほか、端部外段１４２は端部内段１４１と分離した状態に成型され、それの内部は電源線Ｗの正、負極線を覆い包み、正、負極線の末端は、個別に端子Ｗ１が連結されている。組み付け時は、端部外段１４２の端面に一層の防水にかわを塗り付け、更にその端部外段１４２を本体１１の突環段１１２内に取り付け、かつ抵抗線１２と電源線Ｗの端子１２１、Ｗ１を互いに接続すればよい。
【００１８】
上記に示すように、本考案のヘアーカーラの構造は、内部のヒータを加熱する機能を向上させると共に、組み付け時に端部外段を端面に防水にかわを塗り付ける等により防水の機能性を向上させることができる。
【００１９】
【考案の効果】
前記の説明と図面の掲載からわかるように、本考案のヘアーカーラの加熱及び防水構造は、ヘアーカーラを加熱する機能を向上させると共に、防水の機能性を向上させることができる。
【図面の簡単な説明】
【図１】本考案のヘアーカーラを示す分解図である。
【図２】本考案のヘアーカーラの部材の組み合わせ断面図である。
【図３】本考案のヘアーカーラでパーマをした時、髪束を巻き付けた状態を示す図である。
【図４】本考案のヘアーカーラの直径の異なる部材の組み合わせ断面図である。
【図５】本考案の他の実施例のヘアーカーラの部材の組み合わせ断面図である。
【符号の説明】
１　　　　　　ヒータ
２　　　　　　カーラ
３　　　　　　輪ゴム
１１　　　　　本体
１２　　　　　抵抗線
１３　　　　　外覆層
１４　　　　　端部
２１　　　　　孔
２２　　　　　錘形端
１１１　　　　螺旋溝
１１２　　　　突環段
１１３　　　　容室
１１４　　　　通路
１１５　　　　欠け口
１１６　　　　孔
１４１　　　　端部内段
１４２　　　　外段
２２１　　　　束筋板
１１３１　　　四角孔
【図１】
0003097574.tif 000003
【図２】
0003097574.tif 000004
【図３】
0003097574.tif 000005
【図４】
0003097574.tif 000006
【図５】
0003097574.tif 000007